(57)【要約】【課題】電子機器の設置を容易にすると共に、体裁も良くなるようにした、ワークステーション装置を提供する。【解決手段】床面Ｆ上に左右に離間して立設された複数の脚体２、２間に天板３が架設され、天板３の下方における左右の脚体２、２間に配線挿通ダクト４が架設されると共に、天板３にその上面と配線挿通ダクト４内とを連通させる配線挿通部が形成され、配線挿通部の天板上面における開口がカバー部材によって開閉可能に覆われるワークステーション装置である。配線挿通ダクト４の底板１２には、その上下方向を連通させる底板開口が形成されていると共に、底板１２の前後方向における両端部に、それぞれ床面Ｆ側に延びる一対の閉塞部材１６が相対向して設けられ、一対の閉塞部材１６、１６間に電子機器収容部１８が形成されている。【選択図】図２
2014090923.tif 000002
【特許請求の範囲】
【請求項１】
床面上に左右に離間して立設された複数の脚体間に天板が架設され、前記天板の下方における左右の前記脚体間に配線挿通ダクトが架設されると共に、前記天板に該天板の上面と前記配線挿通ダクト内とを連通させる配線挿通部が形成され、該配線挿通部の前記天板上面における開口がカバー部材によって開閉可能に覆われるワークステーション装置であって、
前記配線挿通ダクトの底板には、その上下方向を連通させる底板開口が形成されていると共に、該底板の前後方向における両端部に、該両端部からそれぞれ床面側に延びる一対の閉塞部材が相対向して設けられ、
前記一対の閉塞部材間に電子機器収容部が形成されていることを特徴とするワークステーション装置。
【請求項２】
前記配線挿通ダクトの底板は、その前後方向における両端部の少なくとも一方が、前記配線挿通ダクトの側板より側方に延出して延出部を形成しており、
前記延出部には、該延出部の表裏面を貫通する排熱孔が形成されていることを特徴とする請求項１記載のワークステーション装置。
【請求項３】
前記一対の閉塞部材の少なくとも一方には、前記電子機器収容部を開閉可能にする扉部が設けられていることを特徴とする請求項１又は２に記載のワークステーション装置。
【請求項４】
前記配線挿通部は、前記天板の前後方向中央部に形成されていることを特徴とする請求項１〜３のいずれか一項に記載のワークステーション装置。
【発明の詳細な説明】
【技術分野】
【０００１】
本発明は、オフィス等における執務空間にて使用されるワークステーション装置に関する。
【背景技術】
【０００２】
近年、オフィス等の執務空間においては、大型のワークステーション什器が使用されている。大型のワークステーション什器は、床面上に左右に離間して立設された複数の脚体間に、左右寸法が長尺な天板が架設されて構成されたものが一般的である。
このようなワークステーション什器としては、天板下方における左右の脚体間に配線挿通ダクト（配線ダクト）を架設すると共に、天板上の前後方向中央部に天板上面から下方に向かって連通する配線挿通部を形成し、配線挿通部上面をカバー部材によって閉塞した構造が提案されている（例えば、特許文献１参照）。
【０００３】
このような構造によれば、ワークステーション什器上で使用されるパーソナルコンピューター（ＰＣ）等の電子機器や照明装置等の配線を、配線挿通部を介してワークステーション什器の左右に引き出すことが可能になり、配線を体裁よく処理することができると共に、配線作業時の作業性を向上することができる。
【先行技術文献】
【特許文献】
【０００４】
【特許文献１】特開２００８−１１９２３５号公報
【発明の概要】
【発明が解決しようとする課題】
【０００５】
ところで、前記した構造のワークステーション什器では、ＰＣ等の電子機器を天板上、もしくは天板下方等の床面上等に載置して使用することが想定されている。しかし、このような使用形態では天板上面や天板下方空間が煩雑になってしまい、使い勝手が悪くなると共に、体裁も悪くなるという問題がある。
【０００６】
本発明は前記事情に鑑みてなされたもので、その目的とするところは、特に電子機器の設置を容易にすると共に、体裁も良くなるようにした、ワークステーション装置を提供することにある。
【課題を解決するための手段】
【０００７】
本発明のワークステーション装置は、床面上に左右に離間して立設された複数の脚体間に天板が架設され、前記天板の下方における左右の前記脚体間に配線挿通ダクトが架設されると共に、前記天板に該天板の上面と前記配線挿通ダクト内とを連通させる配線挿通部が形成され、該配線挿通部の前記天板上面における開口がカバー部材によって開閉可能に覆われるワークステーション装置であって、
前記配線挿通ダクトの底板には、その上下方向を連通させる底板開口が形成されていると共に、該底板の前後方向における両端部に、該両端部からそれぞれ床面側に延びる一対の閉塞部材が相対向して設けられ、
前記一対の閉塞部材間に電子機器収容部が形成されていることを特徴とする。
【０００８】
このワークステーション装置によれば、配線挿通ダクトの底板の両端部に、床面側に延びる一対の閉塞部材を相対向させて設け、これら一対の閉塞部材間に電子機器収容部を形成しているので、この電子機器収容部に電子機器を容易に設置することができ、したがって天板上面や天板下方の空間の収まりを良くし、什器としての使い勝手を良くすることができる。また、電子機器収容部に電子機器を収容することで電子機器を露出させることなく隠すことができ、したがって体裁を良くすることができる。
【０００９】
また、前記ワークステーション装置においては、前記配線挿通ダクトの底板は、その前後方向における両端部の少なくとも一方が、前記配線挿通ダクトの側板より側方に延出して延出部を形成しており、前記延出部には、該延出部の表裏面を貫通する排熱孔が形成されていることが好ましい。
このようにすれば、排熱孔を介して電子機器が発生する熱を上方に放出することができ、したがって電子機器収容部内の排熱を効率的に行うことができる。
【００１０】
また、前記ワークステーション装置において、前記一対の閉塞部材の少なくとも一方には、前記電子機器収容部を開閉可能にする扉部が設けられていることが好ましい。
このようにすれば、電子機器収容部に収容した電子機器の操作を、扉部を開くことで容易に行うことができる。
【００１１】
また、前記ワークステーション装置において、前記配線挿通部は、前記天板の前後方向中央部に形成されていることが好ましい。
このようにすれば、天板の前後方向両側に椅子を置くことで、天板の前後方向両側をそれぞれ机として機能させることができる。
【発明の効果】
【００１２】
本発明のワークステーション装置によれば、電子機器の設置を容易にすると共に、体裁も良くすることができる。
【図面の簡単な説明】
【００１３】
【図１】本発明に係るワークステーション装置の一実施形態の概略構成を示す斜視図である。
【図２】図１に示したワークステーション装置の要部を示す斜視図である。
【図３】図１に示したワークステーション装置の内部の概略構成を示す斜視図である。
【図４】図１に示したワークステーション装置の内部の概略構成を示す側断面図である。
【図５】配線挿通ダクトの構成を説明するための要部分解斜視図である。
【図６】支柱の構成を説明するための斜視図である。
【図７】本発明に係るワークステーション装置の変形例の概略構成を示す側断面図である。
【図８】本発明に係るワークステーション装置の変形例の概略構成を示す斜視図である。
【発明を実施するための形態】
【００１４】
以下、本発明に係るワークステーション装置の実施形態を図面に基づいて詳しく説明する。
なお、以下の説明においては、床面Ｆと直交する方向を上下方向と記し、矩形状の天板３の長辺の長さ方向（左右方向）を幅方向、天板３の短辺の長さ方向を前後方向又は奥行方向と記す。
【００１５】
図１は、本発明に係るワークステーション装置の一実施形態の概略構成を示す斜視図、図２は、図１に示したワークステーション装置の要部を示す図であって、電子機器収容部を一部開放した状態を示す斜視図である。これらの図１において符号１はワークステーション装置であり、このワークステーション装置１は、例えば図書館の閲覧デスクとして用いられるものである。
【００１６】
図１に示すようにワークステーション装置１は、床面Ｆ上に左右に離間して立設された一対（複数）の脚体２、２と、これら脚体２、２間に架設された矩形状の天板３とを備えて構成されている。脚体２は、パネル状に形成されている。天板３は、本実施形態では２枚の天板材３ａ、３ａがその前後方向に並んで配置されて形成されたもので、その左右両端部の下面が脚体２、２によって支持されている。
【００１７】
前後の天板材３ａ、３ａの対向面間、すなわち天板３の前後方向中央部には、図３に示すように天板３の上面と後述する配線挿通ダクト４内とを連通させる配線挿通部５が形成されている。配線挿通部５は、天板３上に配置された電子機器等の配線コード類を配線挿通ダクト４内に配線するためのもので、天板３の左右方向（幅方向）に連続して形成されている。この配線挿通部５の、天板３上面における開口５ａには、平板状のカバー部材６、６が開閉可能に取り付けられ、覆われるようになっている。
【００１８】
カバー部材６は、図４に示すように天板３の左右に配置された支持ブラケット７の上端に両側端が、前後一対の支軸８、８に、上下方向に回動可能、かつ着脱可能に係合して取り付けられている。左右の支持ブラケット７は、配線ダクト４内の左右の両端部に、ネジ１０、１０によって固定されている。
【００１９】
配線挿通ダクト４は、前記配線挿通部５と上下方向に連通する開口が形成されるように、互いに前後に離間して配置された１対の側板１１、１１と、これら側板１１、１１の下端部間を閉塞する底板１２とを有して構成されている。各側板１１は、図５に示すようにその左右両端部の内向折曲片１１ａ、１１ａが、左右の脚体２の上部内面にネジ止めによって固定されている。これにより、各側板１１は左右の脚体２間に架設されている。
【００２０】
また、これら一対の側板１１、１１の下端部間には、取付部材１３を介して底板１２が連結され、この底板１２によって該側板１１、１１の下端部間が閉塞されている。これにより、一対の側板１１、１１と底板１２とからなる配線挿通ダクト４は、図４に示すように側板１１、１１間を前記配線挿通部５に連通させた状態で、左右の脚体２間に架設されている。
【００２１】
したがって、例えば床面等に設けられた電源に接続するテーブルタップなどが脚体２側から配線挿通ダクト４内に引き込まれ、ここに収容されることにより、天板３上に配置される電子機器や照明装置等の配線は、天板３上を引き回されることなく、配線挿通部５を通って配線挿通ダクト４内のテーブルタップなどに、容易に、かつ収まり良く接続できるようになっている。
【００２２】
ここで、前記底板１２は、図５に示すように側板１１、１１間に配置されて配線挿通ダクト４の底面として機能する底面部１２ａと、この底面部１２ａの前後方向両端部より側方に延出する外側部１２ｂとを有して形成されている。底面部１２ａは、前記配線挿通ダクト４を形成する一対の側板１１、１１の下端部、すなわち該側板１１の下端部に形成された内側に折り返されてなる折り返し部１１ｂ、１１ｂ間に嵌合するように、上に向かって凸状に形成されている。
【００２３】
そして、この凸状の底面部１２ａが折り返し部１１ｂ、１１ｂ間に嵌合させられ、細板状で両端部が折曲されてなる複数の前記取付部材１３にネジ止めされていることにより、底板１２は図４に示したように側板１１、１１の下端部間を閉塞している。すなわち、底面部１２ａをネジ止めした取付部材１３が、その両端の折曲部をそれぞれ側板１１の折り返し部１１ｂに係止していることにより、底板１２は取付部材１３を介して側板１１、１１の下端部に取り付けられている。
【００２４】
底面部１２ａには、図５に示すように該底面部１２ａを貫通して上下方向を連通させる複数の底板開口１４が形成されている。これら底板開口１４は、配線挿通ダクト４の長さ方向、すなわち天板３の幅方向に沿って所定の間隔で一列に配置されている。
【００２５】
底板１２の外側部１２ｂは、底面部１２ａが凸状に形成されているため、該底面部１２ａより段差部（図示せず）を介して低い位置に形成されている。そして、この外側部１２ｂの底面部１２ａ側は、側板１１の折り返し部１１ｂの下端面に当接する当接部（図示せず）となっている。また、この当接部より外側、すなわち配線挿通ダクト４の側板１１より側方に延出する部位は、本発明に係る延出部１２ｃとなっている。
【００２６】
本実施形態では、底面部１２ａの前後方向両側にそれぞれ外側部１２ｂが形成されており、したがって、底板１２の前後方向両側にそれぞれ延出部１２ｃが形成されている。この延出部１２ｃの前後方向の長さは、後述する電子機器収容部１８に要求される大きさ（容積）に応じて適宜に決定されるが、数ｃｍ〜数十ｃｍ程度とされる。
【００２７】
これら延出部１２ｃには、その上下面（表裏面）を貫通する排熱孔１５が形成されている。排熱孔１５の形状や大きさとしては、特に限定されることなく、底板１２やその延出部１２ｃに要求される強度や、延出部１２ｃの通気性等に基づいて適宜な形状や大きさが採用される。本実施形態では、幅が数ｍｍ〜数ｃｍ程度、長さが数ｃｍ〜数十ｃｍ程度の細長いスリット状の孔によって排熱孔１５が形成されている。このような排熱孔１５は、延出部１２ｃの幅方向（天板３の幅方向）に沿って一列に配列されている。なお、排熱孔１５の大きさによっては、複数列に配列してもよい。
【００２８】
底板１２の両端部、すなわち前記延出部１２ｃのそれぞれの外側端部には、図３、図４に示すようにこれら外側端部からそれぞれ床面Ｆ側に延びる一対の閉塞部材１６、１６が相対向して設けられている。また、これら一対の閉塞部材１６、１６の下端部間には、複数の載置板１７が天板３の幅方向に並列され、脚体２等にネジ止めによって固定されている。このような構成のもとに、一対の閉塞部材１６、１６と左右の脚体２、２と載置板１７とに囲まれた空間部は、主に電子機器を収容するための電子機器収容部１８となっている。
【００２９】
閉塞部材１６は、本実施形態では図１に示すように天板３の幅方向に沿って配置された矩形板状の３枚の扉部材（扉部）１９を有して形成されている。また、前記一対の閉塞部材１６、１６間には、図３に示すように支柱２０が設けられている。この支柱２０は、図６に示すように左右の側部を開口した略角筒状のもので、その前後方向における前側及び後側のそれぞれの両側部に、角状に凹んでなる戸当たり部２０ａを形成している。
【００３０】
そして、前記扉部材１９は、その固定側が、支柱２０の一方の側部の戸当たり部２０ａ、又は脚体２に取り付けられたヒンジ（図示せず）を介して回動可能に取り付けられている。また、扉部材１９の回動側は、支柱２０の側部に形成された戸当たり部２０ａに接離可能に当接するようになっている。このような構成によって閉塞部材１６は、図２、図３に示すようにその扉部材１９によって電子機器収容部１８を開閉するようになっている。
【００３１】
扉部材１９には、本実施形態ではその下側に表裏面を貫通する貫通孔２１が多数形成されている。これら貫通孔２１は、前記延出部１２ｃに形成された排熱孔１５と同様の形状・大きさに形成されたもので、電子機器収容部１８内に外気を導入し、あるいは電子機器収容部１８内の熱気を外に放出するようになっている。なお、扉部材１９には、これを開閉する際に指を引っかけるための把手部１９ａと、扉部材１９を閉じた状態にロックするためのロック機構（図示せず）とが設けられている。
【００３２】
また、図６に示すように支柱２０には、その底部に下板２２がネジ止め等によって取り付けられている。この下板２２は、前記した隣り合う載置板１７、１７間に配置されて、これら載置板１７とほぼ面一に設けられている。また、この下板２２には、該下板２２を貫通して上下方向を連通させる複数の下板開口２３が形成されている。これら下板開口２３は、床面に設けられた電源に接続するテーブルタップなどを引き込み、下板２２上、または載置板１７上に配置するためのものである。なお、この下盤２２の底面側には、その高さ調整を行うためのアジャスター（図示せず）が設けられている。
【００３３】
このような構成のワークステーション装置１にあっては、図１に示すように天板３の前後方向中央部に仕切り板２４を立て、天板３の前後方向両側にそれぞれ椅子を置くことで、天板の前後方向両側をそれぞれ机として機能させることができる。また、天板３はその幅が充分に長く形成されているので、例えばそれぞれの側においてその幅方向に椅子を３脚ずつ配置し、３人ずつ、計６人が同時に座って電子機器の操作等を行うことができる。すなわち、図１に示したように電子機器としてのＰＣのディスプレイＤやキーボードＫを天板３上にそれぞれ６台ずつ配置し、これによって６人が同時にＰＣの操作を行うことができる。
【００３４】
その際、ＰＣの一部を構成する機器、例えばハードディスク（ハードディスクドライブ）については、従来では天板３上に配置し、したがって天板３上にてディスプレイＤやキーボードＫと配線を接続していた。ところが、このように天板３上に全てを配置すると、前述したように天板３上が煩雑になってしまい、使い勝手が悪くなると共に、体裁も悪くなっていた。また、図書館のような公共の場では、操作に不慣れなものが使用することにより、故障が引き起こされるおそれもあった。
【００３５】
そこで、本実施形態では、図２に示すように予めハードディスクＨを電子機器収容部１８に収容しておき、天板３上には操作に直接必要なディスプレイＤやキーボードＫ、マウスＭだけを配置しておく。そして、電子機器収容部１８に収容したハードディスクＨについては、その電源を、下板開口２３（図６参照）から引き入れたテーブルタップなどからとるようにする。これにより、ハードディスクＨについての配線接続を、電子機器収容部１８内にて行うことができ、したがって配線を外部に露出させずに収めることができる。
【００３６】
また、ハードディスクＨとディスプレイＤやキーボードＫとの接続については、これらディスプレイＤやキーボードＫからの配線を配線挿通部５の開口５ａ（図３、図４参照）に通して配線挿通ダクト４内に入れ、さらに底部開口１４（図５参照）を通して電子機器収容部１８内に通し、ハードディスクＨに接続する。なお、ディスプレイＤの電源については、従来と同様にして、配線挿通ダクト４内のテーブルタップなどに配線を接続することでとるようにする。このように配線接続を行うことで、天板３上に引き出される配線を最小限に抑えることができる。
【００３７】
このように本実施形態のワークステーション装置１にあっては、配線挿通ダクト４の底板１２の両端部に、床面Ｆ側に延びる一対の閉塞部材１６、１６を相対向させて設け、これら一対の閉塞部材１６、１６間に電子機器収容部１８を形成しているので、この電子機器収容部１８に例えばハードディスクＨを容易に設置することができる。したがって、天板３の上面や天板３下方の空間の収まりを良くし、什器としての使い勝手を良くすることができる。また、電子機器収容部１８にハードディスクＨを収容することでハードディスクＨやこれに接続する配線を露出させることなく隠すことができ、したがって体裁を良くすることができる。
【００３８】
また、配線挿通ダクト４の底板１２に、該配線挿通ダクト４の側板１１より側方に延出する延出部１２ｃを形成し、該延出部１２ｃに排熱孔１５を形成しているので、これら排熱孔１５を介してハードディスクＨが発生する熱を上方に放出することができる。すなわち、排熱孔１５から電子機器収容部１８内の熱気を外に放出すると同時に、扉部材１９に形成した貫通孔２１によって電子機器収容部１８に外気を導入し、収容された電子機器の直上に排熱孔を配置すると共に、上方を向く排熱孔を設けることが出来る為、電子機器収容部１８内の排熱を効率的に行うことができる。
【００３９】
また、閉塞部材１６に電子機器収容部１８を開閉可能にする扉部材１９を設けているので、電子機器収容部１８に収容したハードディスクＨの操作やその出し入れ、配線接続等を、扉部材１９を開くことで容易に行うことができる。さらに、通常時には扉部材１９を閉じておくことにより、使用者の不測の操作ミス等によって故障が引き起こされるのを防止することができる。
【００４０】
なお、本発明は前記実施形態に限定されることなく、本発明の主旨を逸脱しない範囲で種々の変更が可能である。
例えば、前記実施形態では、配線挿通ダクト４の底板１２に形成する延出部１２ｃを天板３の前後方向両側にそれぞれ形成したが、一方の側にのみ形成してもよい。このように一方の側にのみ形成しても、電子機器収容部１８内の排熱を効率的に行うことができる。
【００４１】
また、電子機器収容部１８を形成する一対の閉塞部材１６、１６間に、電子機器収容部１８を前後方向に仕切る仕切り板（図示せず）を形成してもよい。このように構成すれば、使用している電子機器（ハードディスクＨ）に対して対向する側の人が直接操作するのを防止することができ、使用している電子機器（ＰＣ）の操作が妨げられるのを防止することができる。なお、このように仕切り板を設けた場合には、この仕切り板にも貫通孔を形成し、電子機器収容部１８内の通気性を高めておくのが好ましい。
【００４２】
また、前記実施形態では、図４に示したように底板１２の外側部１２ｂを、側板１１の折り返し部１１ｂの下端面に当接させたが、例えば図７に示すように、外側部１２ｂを折り返し部１１ｂの下端面から離間してその下方に位置するように、底板１２を形成してもよい。その場合には、該外側部１２ｂに形成するスリット状の排熱孔１５を、延出部１２ｃだけでなく、底面部１２ａ側まで延ばして外側部１２ｂの前後方向全体に長く形成することができる。
【００４３】
このように構成すれば、排熱孔１５の長さを大きくすることにより、排熱孔１５全体の開口面積を大きくして放熱効率を高めることができる。
また、閉塞部材１６の上端が排熱孔１５より上方に位置するので、排熱孔１５が外部に露呈しにくく、したがって体裁を良好に収めることができる。
さらに、扉部材１９（閉塞部材１６）の上端部を手掛けとして機能させることができるため、図１や図３に示したように扉部材１９の前面に把手部１９ａを別途設ける必要が無く、したがってコストを低減することができると共に、体裁を良好に収めることができる。
【００４４】
また、前記実施形態では図１に示したように天板３を一対の天板材３ａ、３ａによって形成し、配線挿通部５を天板３の前後方向中央部、すなわち天板材３ａ、３ａ間に形成して、天板３の前後方向両側をそれぞれ机として使用できるように構成したが、例えば図８に示すように、配線挿通部５を天板３の前後方向後側にのみ形成し、前側のみを机として使用するタイプにも、本発明を適用することができる。さらに、図７に示したように、天板３の幅を短くし、１人用のワークステーション装置としてもよく、このような１人用のワークステーション装置にも、本発明を適用することができる。
【００４５】
なお、特に前側のみを机として使用するタイプに本発明を適用した場合、配線挿通ダクト４の底板１２に形成する延出部１２ｃについては、前記したように配線挿通ダクト４の底板１２の一方の側にのみ、特に後側のみに形成するのが好ましい。このようにすれば、椅子をおいて座るように構成した場合に、天板３の下方を広く使うことができる。
【００４６】
また、前記実施形態では、天板３上に配置する電子機器や電子機器収容部１８に収容する電子機器として、ＰＣを構成するディスプレイＤやハードディスクＨとしたが、本発はＰＣ以外の他の電子機器の利用にも適用することができる。
【符号の説明】
【００４７】
１…ワークステーション装置、２…脚体、３…天板、４…配線挿通ダクト、５…配線挿通部、５ａ…開口、６…カバー部材、１１…側板、１２…底板、１２ｃ…延出部、１４…底板開口、１５…排熱孔、１６…閉塞部材、１８…電子機器収容部、１９…扉部材（扉部）、Ｄ…ディスプレイ、Ｋ…キーボード、Ｈ…ハードディスク、Ｍ…マウス
【図１】
2014090923.tif 000003
【図２】
2014090923.tif 000004
【図３】
2014090923.tif 000005
【図５】
2014090923.tif 000006
【図６】
2014090923.tif 000007
【図８】
2014090923.tif 000008
【図４】
2014090923.tif 000009
【図７】
2014090923.tif 000010